(57)【要約】【課題】粉粒体タンクの下部に接続されて、粉粒体タンクから粉粒体を繰り出し、繰り出した粉粒体を作業機の後方で左右向きに拡散させて圃場に供給する繰出し供給部が備えられた粉粒体散布装置において、安価に得ることを可能にする。【解決手段】繰出し供給ケース４０は、粉粒体タンク３０Ａから粉粒体を繰出す繰出し供給部材４８を収容する繰出し供給ケース部４３と、粉粒体を左向きに飛散させる左飛散部材５５を収容する左散布ケース部４６と、粉粒体を右向きに飛散させる右飛散部材５６を収容する右散布ケース部４７と、繰出し供給部材４８、左飛散部材５５及び右飛散部材５６に向けて動力を出力する電気原動機構４５を収容する原動機構ケース部４４と、に分割可能である。【選択図】図８
2020110120.tif 000002
【特許請求の範囲】
【請求項１】
作業機に装備される粉粒体散布装置であって、
圃場に散布する粉粒体が貯留される粉粒体タンクと、
前記粉粒体タンクの下部に接続されて、前記粉粒体タンクから粉粒体を繰り出し、繰り出した粉粒体を前記作業機の後方で左右向きに拡散させて圃場に供給する繰出し供給部と、が備えられ、
前記繰出し供給部は、粉粒体を左向きに飛散させる駆動可能な左飛散部材と、粉粒体を右向きに飛散させる駆動可能な右飛散部材と、前記粉粒体タンクの内部の粉粒体を前記左飛散部材及び前記右飛散部材に供給する繰出し供給部材と、前記繰出し供給部材、前記左飛散部材及び前記右飛散部材に向けて動力を出力する電気原動機構と、前記繰出し供給部材、前記左飛散部材、前記右飛散部材及び前記電気原動機構を収容するとともに前記粉粒体タンクに接続される繰出し供給ケースと、を有し、
前記繰出し供給ケースは、前記繰出し供給部材を収容するとともに前記粉粒体タンクに接続される繰出し供給ケース部と、前記電気原動機構を収容するとともに前記繰出し供給ケース部の下部に接続される原動機構ケース部と、前記左飛散部材を収容するとともに左散布口が下向きに開口された状態で前記原動機構ケース部に接続される左散布ケース部と、前記右飛散部材を収容するとともに右散布口が下向きに開口された状態で前記原動機構ケース部に接続される右散布ケース部と、に分割可能に構成されている粉粒体散布装置。
【請求項２】
前記左散布ケース部の内面に沿わせて設けられ、前記左飛散部材によって飛散された粉粒体が当たり、当った粉粒体を左方向に拡散するように案内する左ガイド板が備えられ、
前記右散布ケース部の内面に沿わせて設けられ、前記右飛散部材によって飛散された粉粒体が当たり、当った粉粒体を右方向に拡散するように案内する右ガイド板が備えられている請求項１記載の粉粒体散布装置。
【請求項３】
前記左ガイド板の案内面に突設され、前記左飛散部材によって飛散された粉粒体を左方向に拡散するように案内する左拡散ガイドが備えられ、
前記右ガイド板の案内面に突設され、前記右飛散部材によって飛散された粉粒体を右方向に拡散するように案内する右拡散ガイドが備えられている請求項２に記載の粉粒体散布装置。
【請求項４】
前記左ガイド板は、左上りの傾斜状態で備えられ、
前記左拡散ガイドは、前記左ガイド板の傾斜角よりも急傾斜の傾斜角の左上り状態で備えられ、
前記右ガイド板は、右上りの傾斜状態で備えられ、
前記右拡散ガイドは、前記右ガイド板の傾斜角よりも急傾斜の傾斜角の右上り状態で備えられている請求項３に記載の粉粒体散布装置。
【請求項５】
前記左散布ケース部のうちの前記左散布口に沿う左ケース部縁部と、前記左ガイド板のうちの前記左散布口に臨む左ガイド板縁部との間に隙間が形成されており、
前記右散布ケース部のうちの前記右散布口に沿う右ケース部縁部と、前記右ガイド板のうちの前記右散布口に臨む右ガイド板縁部との間に隙間が形成されている請求項２から４の３いずれか一項に記載の粉粒体散布装置。
【請求項６】
前記原動機構ケース部が樹脂製であり、
前記電気原動機構は、前記繰出し供給部材に向けて動力を出力する繰出し電動モータを備え、
前記原動機構ケース部の内部に設けられ、前記繰出し電動モータを支持する金属支持部材が備えられている請求項１から５のいずれか一項に記載の粉粒体散布装置。
【請求項７】
前記繰出し供給部材は、前記金属支持部材に支持されている請求項６に記載の粉粒体散布装置。
【請求項８】
前記電気原動機構は、前記左飛散部材が相対回転不能に支持された左出力軸を備え、かつ、前記右飛散部材が相対回転不能に支持された右出力軸を備える一つの飛散電動モータを有している請求項１から７のいずれか一項に記載の粉粒体散布装置。
【請求項９】
前記飛散電動モータのモータ本体と前記左飛散部材との間に向けて前記原動機構ケース部の底壁部から立設されるとともに前記左出力軸が挿通する開口が形成され、前記左散布ケース部の内部と、前記原動機構ケース部の内部とを区画する左区画壁が備えられ、
前記飛散電動モータのモータ本体と前記右飛散部材との間に向けて前記原動機構ケース部の底壁部から立設されるとともに前記右出力軸が挿通する開口が形成され、前記右散布ケース部の内部と、前記原動機構ケース部の内部とを区画する右区画壁が備えられている請求項８に記載の粉粒体散布装置。
【請求項１０】
前記原動機構ケース部の底壁部に設けられた排水穴、及び、前記排水穴に装着される栓部材が備えられ、
前記栓部材は、前記排水穴の穴径よりも大きい外径を備える栓頭部と、前記栓頭部から延ばされて前記排水穴に挿入される栓軸部と、を有し、
前記栓軸部の外周部に、前記栓軸部の全長にわたる軸凹入部が形成されており、
前記栓頭部の下部に、前記栓部材の半径方向に沿う状態で、かつ、前記軸凹入部に連通する状態で頭凹入部が形成されている請求項１から９のいずれか一項に記載の粉粒体散布装置。
【発明の詳細な説明】
【技術分野】
【０００１】
本発明は、粉粒体散布装置に関する。
【背景技術】
【０００２】
作業機に装備される粉粒体散布装置であって、圃場に散布する粉粒体が貯留される粉粒体タンクと、粉粒体タンクの下部に接続されて、粉粒体タンクから粉粒体を繰り出し、繰り出した粉粒体を作業機の後方で左右向きに拡散させて圃場に供給する繰出し供給部、とが備えられたものがある。
この種の粉粒体散布装置として、たとえば、特許文献１に示されるものがある。特許文献１に示されるものでは、粉粒体タンクとしてのホッパーと、ホッパーの下部に接続された一つの散布ケースと、が備えられている。ホッパーに貯留された薬剤を目皿によって繰り出すように構成した繰出し部、繰出し部が繰り出した薬剤を拡散羽根によって機体横幅方向に拡散散布する拡散機構、目皿を駆動する動力を出力するステッピングモータ、拡散羽根を駆動する電動モータのそれぞれが散布ケースに収納されている。
【先行技術文献】
【特許文献】
【０００３】
【特許文献１】特開２０１１−７２２２３号公報
【発明の概要】
【発明が解決しようとする課題】
【０００４】
粉粒体散布装置において、粉粒体を左向きに飛散させる駆動可能な左飛散部材と、粉粒体を右向きに飛散させる駆動可能な右飛散部材と、粉粒体タンクから粉粒体を繰出し、繰り出した粉粒体を左飛散部材及び右飛散部材に供給する繰出し供給部材と、繰出し供給部材、左飛散部材及び右飛散部材に向けて動力を出力する電気原動機構と、を備えることにより、粉粒体タンクに貯留された粉粒体が電気原動機構の動力によって駆動される繰出し供給部材によって粉粒体タンクからスムーズに繰り出されるとともに左飛散部材及び右飛散部材に的確に供給され、電気原動機構の動力によって駆動される左飛散部材及び右飛散部材によって粉粒体が圃場の所定の散布範囲に的確に供給される。
【０００５】
しかし、従来の技術を採用した場合、粉粒体タンクに接続する一つの繰出し供給ケースを設け、この繰出し供給ケースに繰出し供給部材、左飛散部材、右飛散部材及び電気原動機構を収納するので、複雑な形状かつ大型の成形型によって繰出し供給ケースを製作せねばならなくてコスト高になる。
【０００６】
本発明は、駆動可能な繰出し供給部材と、駆動可能な左飛散部材と、駆動可能な右飛散部材と、繰出し供給部材、左飛散部材及び右飛散部材に動力を出力する電気原動機構を繰出し供給ケースに収納するものでありながら、安価に得ることができる粉粒体散布装置を提供する。
【課題を解決するための手段】
【０００７】
本発明による粉粒体散布装置は、
作業機に装備される粉粒体散布装置であって、圃場に散布する粉粒体が貯留される粉粒体タンクと、前記粉粒体タンクの下部に接続されて、前記粉粒体タンクから粉粒体を繰り出し、繰り出した粉粒体を前記作業機の後方で左右向きに拡散させて圃場に供給する繰出し供給部、と、が備えられ、前記繰出し供給部は、粉粒体を左向きに飛散させる駆動可能な左飛散部材と、粉粒体を右向きに飛散させる駆動可能な右飛散部材と、前記粉粒体タンクの内部の粉粒体を前記左飛散部材及び前記右飛散部材に供給する繰出し供給部材と、前記繰出し供給部材、前記左飛散部材及び前記右飛散部材に向けて動力を出力する電気原動機構と、前記繰出し供給部材、前記左飛散部材、前記右飛散部材及び前記電気原動機構を収容するとともに前記粉粒体タンクに接続される繰出し供給ケースと、を有し、前記繰出し供給ケースは、前記繰出し供給部材を収容するとともに前記粉粒体タンクに接続される繰出し供給ケース部と、前記電気原動機構を収容するとともに前記繰出し供給ケース部の下部に接続される原動機構ケース部と、前記左飛散部材を収容するとともに左散布口が下向きに開口された状態で前記原動機構ケース部に接続される左散布ケース部と、前記右飛散部材を収容するとともに右散布口が下向きに開口された状態で前記原動機構ケース部に接続される右散布ケース部と、に分割可能に構成されている。
【０００８】
本構成によると、繰出し供給ケースを繰出し供給ケース部と、原動機構ケース部と、左散布ケース部と、右散布ケース部とに分割して製作できるので、繰出し供給ケースの全体を一つの成形型によって製作するのに比べ、簡素な構造かつ小型の成形型を採用して繰出し供給ケースを製作して、粉粒体散布装置を安価に得ることができる。
【０００９】
本発明においては、前記左散布ケース部の内面に沿わせて設けられ、前記左飛散部材によって飛散された粉粒体が当たり、当った粉粒体を左方向に拡散するように案内する左ガイド板が備えられ、前記右散布ケース部の内面に沿わせて設けられ、前記右飛散部材によって飛散された粉粒体が当たり、当った粉粒体を右方向に拡散するように案内する右ガイド板が備えられていると好適である。
【００１０】
本構成によると、左飛散部材によって飛散された粉粒体が左ガイド板によって案内されて拡散し、右飛散部材によって飛散された粉粒体が右ガイド板によって案内されて拡散するので、粉粒体を広い供給範囲に的確に散布できる。また、粉粒体が左散布ケース部や右散布ケース部に当ることを左ガイド板や右ガイド板によって抑制できるので、左散布ケース部や右散布ケース部が摩滅し難くなる。
【００１１】
本発明においては、前記左ガイド板の案内面に突設され、前記左飛散部材によって飛散された粉粒体を左方向に拡散するように案内する左拡散ガイドが備えられ、前記右ガイド板の案内面に突設され、前記右飛散部材によって飛散された粉粒体を右方向に拡散するように案内する右拡散ガイドが備えられていると好適である。
【００１２】
本構成によると、左飛散部材によって飛散された粉粒体が左拡散ガイドによって案内されて拡散し、右飛散部材によって飛散された粉粒体が右拡散ガイドによって案内されて拡散するので、粉粒体をより広い供給範囲に的確に散布できる。
【００１３】
本発明においては、前記左ガイド板は、左上りの傾斜状態で備えられ、前記左拡散ガイドは、前記左ガイド板の傾斜角よりも急傾斜の傾斜角の左上り状態で備えられ、前記右ガイド板は、右上りの傾斜状態で備えられ、前記右拡散ガイドは、前記右ガイド板の傾斜角よりも急傾斜の傾斜角の右上り状態で備えられていると好適である。
【００１４】
本構成によると、左飛散部材によって飛散された粉粒体が左拡散ガイドによって案内されて左ガイド板よって左方向に拡散される以上に左方向に拡散されるので、右飛散部材によって飛散された粉粒体が右拡散ガイドによって案内されて右ガイド板よって右方向に拡散される以上に右方向に拡散されるので、粉粒体をより広い供給範囲に的確に散布できる。
【００１５】
本発明においては、前記左散布ケース部のうちの前記左散布口に沿う左ケース部縁部と、前記左ガイド板のうちの前記左散布口に臨む左ガイド板縁部との間に隙間が形成されており、前記右散布ケース部のうちの前記右散布口に沿う右ケース部縁部と、前記右ガイド板のうちの前記右散布口に臨む右ガイド板縁部との間に隙間が形成されていると好適である。
【００１６】
本構成によると、左散布ケース部及び右散布ケース部において、散布ケース部の外側面に付着した洗車水や雨水が外側面をつたってケース部縁部まで下降しても、ケース部縁部とガイド板縁部との間の隙間のためにガイド板に入り込まないので、左散布ケース部及び右散布ケース部の内部が湿気ることを防止できる。
【００１７】
本発明においては、前記原動機構ケース部が樹脂製であり、前記電気原動機構は、前記繰出し供給部材に向けて動力を出力する繰出し電動モータを備え、前記原動機構ケース部の内部に設けられ、前記繰出し電動モータを支持する金属支持部材が備えられていると好適である。
【００１８】
本構成によると、繰出し電動モータが金属支持部材によってしっかり支持されるので、繰出し電動モータの駆動に起因する振動が発生し難い。
【００１９】
本発明においては、前記繰出し供給部材は、前記金属支持部材に支持されていると好適である。
【００２０】
本構成によると、繰出し供給部材が金属支持部材にしっかり支持されるので、繰出し供給部材が振動し難くて、粉粒体が精度良い繰り出し量で繰り出される。
【００２１】
本発明においては、前記電気原動機構は、前記左飛散部材が相対回転不能に支持された左出力軸を備え、かつ、前記右飛散部材が相対回転不能に支持された右出力軸を備える一つの飛散電動モータを有していると好適である。
【００２２】
本構成によると、左飛散部材が左出力軸に直接に支持され、右飛散部材が右出力軸に直接に支持される簡素な駆動構造によって左飛散部材及び右飛散部材を駆動できる。
【００２３】
本発明においては、前記飛散電動モータのモータ本体と前記左飛散部材との間に向けて前記原動機構ケース部の底壁部から立設されるとともに前記左出力軸が挿通する開口が形成され、前記左散布ケース部の内部と、前記原動機構ケース部の内部とを区画する左区画壁が備えられ、前記飛散電動モータのモータ本体と前記右飛散部材との間に向けて前記原動機構ケース部の底壁部から立設されるとともに前記右出力軸が挿通する開口が形成され、前記右散布ケース部の内部と、前記原動機構ケース部の内部とを区画する右区画壁が備えられていると好適である。
【００２４】
本構成によると、左散布ケース部の内部で発生した塵埃が左区画壁に当って飛散電動モータに付着し難く、右散布ケース部の内部で発生した塵埃が右区画壁に当って飛散電動モータに付着し難いので、飛散電動モータの塵埃付着による故障が生じ難い。
【００２５】
本発明においては、前記原動機構ケース部の底壁部に設けられた排水穴、及び、前記排水穴に装着される栓部材が備えられ、前記栓部材は、前記排水穴の穴径よりも大きい外径を備える栓頭部と、前記栓頭部から延ばされて前記排水穴に挿入される栓軸部と、を有し、前記栓軸部の外周部に、前記栓軸部の全長にわたる軸凹入部が形成されており、前記栓頭部の下部に、前記栓部材の半径方向に沿う状態で、かつ、前記軸凹入部に連通する状態で頭凹入部が形成されていると好適である。
【００２６】
本構成によると、原動機構ケース部の内部に入り込んだ水が頭凹入部に流入して頭凹入部から軸凹入部に流入し、軸凹入部から底壁部の下方に流出する。粉粒体散布装置の下方で跳ね上がった水が排水穴に向かっても、排水穴に入り込んでいる栓軸部が障害物になって水が排水穴に入り込み難い。水が軸凹入部に入り込んだとしても、軸凹入部の上方に位置する栓頭部が障害物になり、かつ、軸凹入部に連通している頭凹入部が軸凹入部に対して交差する方向に延びているので、軸凹入部に入り込んだ水は、原動機構ケース部の内部に入り込み難い。すなわち、原動機構ケース部の内部に入り込んだ水を排水穴によって排出できながら、排水穴から原動機構ケース部の内部に水が入り込むことを回避しやすい。
【図面の簡単な説明】
【００２７】
【図１】乗用型田植機の全体を示す左側面図である。
【図２】乗用型田植機の全体を示す平面図である。
【図３】粉粒体散布装置を示す前面図である。
【図４】粉粒体散布装置を示す後面図である。
【図５】粉粒体散布装置を示す底面図である。
【図６】図４のＶＩ−ＶＩ断面矢視図である。
【図７】図４のＶＩＩ−ＶＩＩ断面矢視図である。
【図８】図７のＶＩＩＩ−ＶＩＩＩ断面矢視図である。
【図９】図４のＩＸ−ＩＸ断面矢視図である。
【図１０】図５のＸ−Ｘ断面矢視図である。
【図１１】排水穴の断面図である。
【図１２】繰出し供給ケースの分解状態における繰出し供給ケース部、左散布ケース部、右散布ケース部及び原動機構ケース部を示す斜視図である。
【図１３】繰出し供給ケースの分解状態における繰出し供給ケース部、連結部材、左散布ケース部、右散布ケース部及び原動機構ケース部を示す斜視図である。
【図１４】左散布ケース部、左ガイド板、左拡散ガイドを示す斜視図である。
【図１５】栓部材の斜視図である。
【図１６】防水溝を示す斜視図である。
【発明を実施するための形態】
【００２８】
以下、本発明の一例である実施形態を図面に基づいて説明する。
なお、以下の説明では、乗用型田植機の走行機体に関し、図１，２に示される矢印Ｆの方向を「機体前方」、矢印Ｂの方向を「機体後方」、図１に示される矢印Ｕの方向を「機体上方」、矢印Ｄの方向を「機体下方」、図２に示される矢印Ｌの方向を「機体左方」、矢印Ｒの方向を「機体右方」とする。
【００２９】
図１，２に示されるように、乗用型田植機は、左右一対の前車輪１が操向可能かつ駆動可能に装備され、左右一対の後車輪２が駆動可能に装備された走行機体を備えている。走行機体の前部に、エンジン３を有する原動部４が形成されている。走行機体の後部に、運転座席５、及び、前車輪１を操向操作するステアリングホィール６を有する乗用型の運転部７が形成されている。走行機体の機体フレーム８の後部にリンク機構９を介して苗植付装置１０が連結されている。苗植付装置１０は、機体フレーム８に対するリンク機構９の上下揺動作動によって接地フロート１１が圃場面に接地した下降作業状態と、接地フロート１１が圃場面に対して上方に離れた上昇非作業状態とにわたって昇降操作される。走行機体の後部に、苗植付装置１０による植付苗に粉粒状の肥料を供給する施肥装置２０が設けられている。苗植付装置１０の後部に、除草用の粉粒状の薬剤を苗植付装置１０の後方で走行機体の横幅方向に散布する粉粒体散布装置３０が設けられている。
【００３０】
〔苗植付装置の構成について〕
苗植付装置１０は、図１，２に示されるように、走行機体の横幅方向に間隔を空けて並ぶ４つの植付伝動ケース１２などによって構成された植付機体１３を備えている。４つの植付伝動ケース１２それぞれの後部の両横側部分に、苗植付機構１４が駆動可能に支持されている。植付機体１３の上方に、走行機体の横幅方向に並ぶ八つの苗載置部を有する一つの苗載台１５が設けられている。苗載台１５は、苗植付機構１４の苗植え運動に連動する状態で横方向に往復移送され、各苗載置部に載置されたマット状苗を苗載置部に対応する苗植付機構１４に対して左右方向に往復移送する。これにより、各苗植付機構１４の一対の植付アーム１４ａが交互に、苗載置部に載置されたマット状苗から植付け用苗を取り出し、取り出した植付け用苗を保持して圃場に下降して圃場に植え付ける。植付機体１３の下部に、走行機体の横幅方向に並べられ、下降作業状態の苗植付装置１０を支持し、かつ、圃場のうちの苗植付機構１４による苗植付け箇所を苗植付機構１４の苗植付けに先立って整地する五つの接地フロート１１が支持されている。苗植付装置１０は、走行機体の横幅方向に並ぶ八つの苗植付機構１４による苗植え付け、すなわち、八条植えの苗植え付けが可能になっている。
【００３１】
〔施肥装置の構成について〕
施肥装置２０は、走行機体の横幅方向に並べられた二つの肥料タンク２１と、各肥料タンク２１の下部に接続された肥料繰出し供給部２２と、肥料繰出し供給部２２に接続された送風ブロワ２３と、を備えている。二つの肥料タンク２１の一方の肥料タンク２１に接続された肥料繰出し供給部２２から四本の施肥ホース２４が苗植付装置１０に向けて延ばされ、二つの肥料タンク２１の他方の肥料タンク２１に接続された肥料繰出し供給部２２から四本の施肥ホース２４が苗植付装置１０に向けて延ばされている。八本の施肥ホース２４は、八つの苗植付機構１４それぞれの横側方に一つずつ設けられた計八つの施肥器２５に各別に接続されている。
【００３２】
施肥装置２０においては、二つの肥料タンク２１のそれぞれに接続された肥料繰出し供給部２２が肥料タンク２１から粉粒状の肥料を繰り出し、繰り出した肥料を送風ブロワ２３からの風によって四本の施肥ホース２４に供給する。各施肥器２５が苗植付機構１４による苗付け箇所の横側方で圃場に溝を形成し、形成した溝に施肥ホース２４によって供給された肥料を供給する。
【００３３】
〔粉粒体散布装置の構成について〕
粉粒体散布装置３０は、図１，２に示されるように、平面視で苗植付装置１０の左右方向での中央部に配置された状態で支持フレーム１６に支持されている。支持フレーム１６による粉粒体散布装置３０の支持は、粉粒体タンク３０Ａが上端側ほど前方に位置する前傾の傾斜姿勢になる状態で行われている。支持フレーム１６は、四つの植付伝動ケース１２のうち、苗植付装置１０の左右方向での中心を挟んで隣り合う植付伝動ケース１２から上向きに延ばされている。
【００３４】
粉粒体散布装置３０は、図１，３，４に示されるように、粉粒状の薬剤が貯留される粉粒体タンク３０Ａと、粉粒体タンク３０Ａの下部に接続された繰出し供給部３０Ｂと、を備えている。繰出し供給部３０Ｂは、粉粒体タンク３０Ａから薬剤を取り出し、取り出した薬剤を苗植付装置１０の後方で走行機体の左右方向に飛散させ、圃場のうちの苗植付装置１０の横方向での植付範囲に相当する部分に散布することにより、薬剤を圃場に供給する。
【００３５】
図６，８に示されるように、粉粒体タンク３０Ａにおけるタンク本体３１に、粉粒状の薬剤が貯留される貯留部３１ｂと、貯留部３１ｂの下部から下向きに延ばされた筒状部３２とが備えられている。筒状部３２は、タンク本体３１を成形するとき、貯留部３１ｂに一体成形されている。タンク本体３１及び筒状部３２は、樹脂製である。図８に示されるように、筒状部３２の内面側に補強リブ３３が一体成形されている。補強リブ３３は、筒状部３２の周方向での複数箇所に設けられている。繰出し供給部３０Ｂにおける繰出し供給ケース４０の上部に環状の接続部４１が形成されている。接続部４１が筒状部３２に内嵌する状態で筒状部３２と接続部４１とを接続することにより、粉粒体タンク３０Ａと繰出し供給部３０Ｂとが接続されている。粉粒体タンク３０Ａは、繰出し供給ケース４０に対して上方に取り外し可能である。筒状部３２と接続部４１とが接続された状態において、各補強リブ３３の下部に形成されている当り部３３ａが接続部４１に対して上方から当接している。粉粒体タンク３０Ａの荷重が繰出し供給ケース４０によって補強リブ３３を介して下方から受け止め支持される。筒状部３２の両横側において、粉粒体タンク３０Ａを繰出し供給ケース４０に固定するパチン錠３４（図４参照）が筒状部３２と繰出し供給ケース４０とにわたって設けられている。
【００３６】
〔繰出し供給部の構成について〕
繰出し供給部３０Ｂは、図３，４，５，６に示されるように、繰出し供給ケース４０を備えている。繰出し供給ケース４０は、図３，６に示されるように、繰出し供給ケース４０の前部に取付けられた連結部材４２を介して支持フレーム１６に支持されている。
【００３７】
繰出し供給ケース４０は、図３，４，５，６，７，８に示されるように、接続部４１を有する繰出し供給ケース部４３と、繰出し供給ケース部４３の下部に接続された原動機構ケース部４４と、原動機構ケース部４４の左側部に接続された左散布ケース部４６と、原動機構ケース部４４の右側部に接続された右散布ケース部４７と、を備えている。繰出し供給ケース部４３、原動機構ケース部４４、左散布ケース部４６及び右散布ケース部４７のそれぞれは、樹脂製である。
【００３８】
図６，７，８に示されるように、繰出し供給ケース部４３に、繰出し供給部材４８が収容されている。繰出し供給部材４８の上下向きの回転支軸４９が繰出し供給ケース部４３のボス部４３ａ、及び、金属支持部材５０としての板金部材が有するボス部５０ｂに回転可能に支持されている。繰出し供給部材４８は、回転支軸４９を揺動支点にして揺動可能な状態で金属支持部材５０に支持されている。金属支持部材５０は、原動機構ケース部４４の内部に設けられている。金属支持部材５０の前部の左右側部に下向きの折曲げ連結部５０ａが備えられている。左右の折曲げ連結部５０ａが原動機構ケース部４４の左右の横壁部５１ｄに連結されており、金属支持部材５０は、原動機構ケース部４４に支持されている。繰出し供給部材４８の遊端側部分に、一対の繰出し供給穴４８ａが開口されている。繰出し供給部材４８は、回転支軸４９に設けられた駆動ギヤ５２によって回転支軸４９を揺動支点して左右方向に往復揺動する状態で駆動され、一対の繰出し供給穴４８ａによってタンク本体３１の漏斗部３１ａから薬剤を繰り出す。一方の繰出し供給穴４８ａは、繰り出した薬剤を左散布ケース部４６の内部に連通する左供給穴５３に落下させて左散布ケース部４６の内部に供給する。他方の繰出し供給穴４８ａは、繰り出した薬剤を右散布ケース部４７の内部に連通する右供給穴５４に落下させて右散布ケース部４７の内部に供給する。図５，６に示される３８は、漏斗部３１ａの薬剤排出口を開閉するシャッターである。シャッター３８は、操作レバー３８ａの揺動作動によってスライド操作されて開閉する。
【００３９】
図５，８に示されるように、右散布ケース部４７の内部のうちの右供給穴５４の下方の箇所に右飛散部材５６が回転可能に収容されている。図５，９に示されるように、右散布ケース部４７の下部に右散布口４７ａが下向きに開口されている。右散布ケース部４７においては、繰出し供給部材４８によって右散布ケース部４７の内部に供給された薬剤が右飛散部材５６に供給されて右飛散部材５６によって右散布ケース部４７の内部に飛散される。飛散された薬剤が右散布ケース部４７の内部に形成された右案内部６０に当って右案内部６０によって案内され、右散布口４７ａから圃場のうち、苗植付装置１０の植付範囲の右側半部に対応する部分に散布される。
【００４０】
右案内部６０は、図５，８，９に示されるように、右散布ケース部４７の内面に沿わせて右散布ケース部４７に支持された右ガイド板６１と、右ガイド板６１の案内面から右散布ケース部４７の内部空間に向けて突設された右拡散ガイド６２と、を備えている。右ガイド板６１及び右拡散ガイド６２は、板金部材によって構成されている。右案内部６０においては、右飛散部材５６によって飛散された薬剤が右ガイド板６１の案内面、及び、右拡散ガイド６２の案内面６２ａに当る。右ガイド板６１の案内面に当った薬剤は、右方向にかつ後方向に飛散しつつ右散布口４７ａから圃場に向かって飛ぶように右ガイド板６１の案内面によって案内される。右拡散ガイド６２の案内面６２ａに当った薬剤は、右ガイド板６１によって案内される薬剤よりもより右方向に遠くまで飛散しつつ右散布口４７ａから圃場に向かって飛ぶように案内面６２ａによって案内される。薬剤が右ガイド板６１に当ることにより、薬剤との摩擦による右散布ケース部４７の摩滅を発生し難くできる。右拡散ガイド６２は、二つの取付けねじ６３によって右ガイド板６１に支持されている。二つの取付けねじ６３のうちの一方の取付けねじ６３ａを装着する右拡散ガイド６２のネジ穴が複数箇所に形成されている。右拡散ガイド６２は、他方の取付けねじ６３ｂを揺動支点にして角度変更されて案内面６２ａの角度変更を行うように支持されている。
【００４１】
右ガイド板６１は、右上がり傾斜の状態で備えられ、右拡散ガイド６２は、右ガイド板６１の傾斜角よりも急傾斜の傾斜角で右上がり状態で備えられると好適である。右飛散部材５６によって飛散された薬剤が右ガイド板６１及び右拡散ガイド６２によって案内されてより右方向に広く拡散される。
【００４２】
図１０に示されるように、右散布ケース部４７のうちの右散布口４７ａに沿う右ケース部縁部４７ｔと、右ガイド板６１のうちの右散布口４７ａに臨む右ガイド板縁部６１ｔとの間に隙間Ｚが形成されている。右散布ケース部４７の外側面をつたって右ケース部縁部４７ｔに達した水が右散布ケース部４７の内側に回り込むことが隙間Ｚによって防止される。
【００４３】
図５，８に示されるように、左散布ケース部４６の内部のうちの左供給穴５３の下方の箇所に左飛散部材５５が回転可能に収容されている。右散布ケース部４７と同様に、左散布ケース部４６の下部に左散布口４６ａが下向きに開口されている。左散布ケース部４６においては、繰出し供給部材４８によって左散布ケース部４６の内部に供給された薬剤が左飛散部材５５に供給されて左飛散部材５５によって左散布ケース部４６の内部に飛散される。飛散された薬剤が左散布ケース部４６の内部に形成された左案内部７０に当って左案内部７０によって案内され、左散布口４６ａから圃場のうち、苗植付装置１０の植付範囲の左側半部に対応する部分に散布される。
【００４４】
左案内部７０は、図５，８に示されるように、左散布ケース部４６の内面に沿わせて左散布ケース部４６に支持された左ガイド板７１と、左ガイド板７１の案内面から左散布ケース部４６の内部空間に向けて突設された左拡散ガイド７２と、を備えている。左ガイド板７１及び左拡散ガイド７２は、板金部材によって構成されている。左案内部７０においては、左飛散部材５５によって飛散された薬剤が左ガイド板７１の案内面、及び、左拡散ガイド７２の案内面７２ａに当る。左ガイド板７１の案内面に当った薬剤は、左方向にかつ後方向に飛散しつつ左散布口４６ａから圃場に向かって飛ぶように左ガイド板７１の案内面によって案内される。左拡散ガイド７２の案内面７２ａに当った薬剤は、左ガイド板７１によって案内される薬剤よりもより左方向に遠くまで飛散しつつ左散布口４６ａから圃場に向かって飛ぶように案内面７２ａによって案内される。薬剤が左ガイド板７１に当ることにより、左散布ケース部４６の薬剤との摩擦による摩滅を発生し難くできる。左拡散ガイド７２は、二つの取付けねじ７３によって左ガイド板７１に支持されている。二つ取付けねじ７３のうちの一方の取付けねじ７３ａを装着する左拡散ガイド７２のネジ穴が複数箇所に形成されている。左拡散ガイド７２は、他方の取付けねじ７３ｂを揺動支点にして角度変更されて案内面６２ａの角度変更を行うように支持されている。
【００４５】
左ガイド板７１は、左上がり傾斜の状態で備えられ、左拡散ガイド７２は、左ガイド板７１の傾斜角よりも急傾斜の傾斜角で左上がり状態で備えられると好適である。左飛散部材５５によって飛散された薬剤が左ガイド板７１及び左拡散ガイド７２によって案内されてより左方向に広く拡散される。
【００４６】
右散布ケース部４７と同様に、左散布ケース部４６のうちの左散布口４６ａに沿う左ケース部縁部４６ｔと、左ガイド板７１のうちの左散布口４６ａに臨む左ガイド板縁部７１ｔとの間に隙間Ｚが形成されている。左散布ケース部４６の外側面をつたって左ケース部縁部４６ｔに達した水が左散布ケース部４６の内側に回り込むことが隙間Ｚによって防止される。
【００４７】
左飛散部材５５及び右飛散部材５６は、図８，９に示されるように、複数枚の飛散羽根を備えている。各飛散羽根における飛散羽根の回転中心から先端までの長さは、同じ長さに設定されている。各飛散羽根の先端部は、回転方向に対して傾斜する状態で、かつ、基端部に対して傾斜する状態で基端部に対して折り曲げられている。各飛散羽根における先端部の回転方向に対する傾斜角度、及び、各飛散羽根における先端部の基端部に対する傾斜角度は、同じ傾斜角度に設定されている。
【００４８】
図１２，１３に示されるように、左散布ケース部４６における横壁部分４６ｓのうちの左散布口４６ａに沿う横壁縁部に、図１６に示される如き防水溝７４が横壁部分４６ｓの前後方向に沿って延びる状態で形成されている。右散布ケース部４７における横壁部分４７ｓのうちの右散布口４７ａに沿う横壁縁部に、図１６に示される如き防水溝７４が横壁部分４７ｓの前後方向に沿って延びる状態で形成されている。雨水や洗車水が横壁部分４６ｓ，４７ｓの外側面をつたって横壁縁部に達しても横壁部分４６ｓ，４７ｓの内面にまわり込むことが防水溝７４によって防止される。
【００４９】
原動機構ケース部４４は、図５，６，８に示されるように、底壁部４４ａと、底壁部４４ａの後部における左端部分から上向きに突設された左区画壁５１ａと、底壁部４４ａの後部における右端部分から上向きに突設された右区画壁５１ｂと、底壁部４４ａのうちの左区画壁５１ａ及び右区画壁５１ｂよりも前側の部分における左右端部分から上向きに突設された横壁部５１ｄと、底壁部４４ａの前端部分から上向きに突設された前縦壁部５１ｃと、を備えている。底壁部４４ａ、左区画壁５１ａ、右区画壁５１ｂ、横壁部５１ｄ及び前縦壁部５１ｃによって囲われた空間Ｓに、繰出し供給部材４８、左飛散部材５５及び右飛散部材５６に向けて動力を出力する電気原動機構４５が収容されている。
【００５０】
電気原動機構４５は、空間Ｓのうちの前側部分に収容され、繰出し供給部材４８に向けて動力を出力する繰出し電動モータ５７と、空間Ｓのうちの後側部分に収容され、左飛散部材５５及び右飛散部材５６に向けて動力を出力する一つの飛散電動モータ５９と、を備えている。図４，５に示されるように、繰出し電動モータ５７は、金属支持部材５０の下面側に支持されている。繰出し電動モータ５７の出力軸５７ａの先端側部分が金属支持部材５０の開口から金属支持部材５０の上方に突出されている。出力軸５７ａの先端側部分に相対回転可能に設けられた出力ギヤ５８と、駆動ギヤ５２とが噛み合わされている。図４，５，６に示されるように、飛散電動モータ５９は、左区画壁５１ａ及び右区画壁５１ｂに支持されている。飛散電動モータ５９の左出力軸５９ａの先端側部分が左区画壁５１ａの開口を通して左散布ケース部４６の内部に挿入され、左出力軸５９ａの先端側部分に左飛散部材５５が相対回転不能に支持されている。飛散電動モータ５９の右出力軸５９ｂの先端側部分が右区画壁５１ｂの開口を通して右散布ケース部４７の内部に挿入され、右出力軸５９ｂの先端側部分に右飛散部材５６が相対回転不能に支持されている。
【００５１】
図８に示されるように、左区画壁５１ａは、底壁部４４ａから飛散電動モータ５９のモータ本体と左飛散部材５５との間に向けて立設されている。左散布ケース部４６の内部と、原動機構ケース部４４の内部とが左区画壁５１ａによって区画されている。右区画壁５１ｂは、底壁部４４ａから飛散電動モータ５９のモータ本体と右飛散部材５６との間に向けて立設されている。右散布ケース部４７の内部と、原動機構ケース部４４の内部とが右区画壁５１ｂによって区画されている。左散布ケース部４６や右散布ケース部４７の内部で塵埃が発生しても、塵埃が左区画壁５１ａや右区画壁５１ｂに当って飛散電動モータ５９に付着しにくい。
【００５２】
図５に示されるように、底壁部４４ａの前後方向での二箇所に排水穴８０が開口されている。二箇所の排水穴８０には、図１１に示されるように、栓部材８１が装着されている。栓部材８１は、図１１に示されるように、排水穴８０の穴径よりも大きい外径を有する状態で底壁部４４ａの内面側に配置される栓頭部８１ａと、栓頭部８１ａから下向きに延ばされて排水穴８０に挿入される栓軸部８１ｂと、を有している。図１１，１５に示されるように、栓軸部８１ｂの外周部に、栓軸部８１ｂの全長にわたる軸凹入部８２が形成されている。排水穴８０の内部において、栓軸部８１ｂと底壁部４４ａとの間に隙間が軸凹入部８２によって形成される。栓頭部８１ａの下部に、栓部材８１の半径方向に沿わせた、かつ、軸凹入部８２に連通させた頭凹入部８３が形成されている。底壁部４４ａの上面側において、栓頭部８１ａと底壁部４４ａとの間に隙間が頭凹入部８３によって形成される。本実施形態では、図１５に示されるように、軸凹入部８２は、栓軸部８１ｂの周方向での四箇所に形成され、頭凹入部８３は、四箇所の軸凹入部８２のそれぞれに対応させて栓頭部８１ａの四箇所に形成されているが、これに限らない。たとえば、三つ以下あるいは五つ以上の軸凹入部８２を採用してもよい。また、軸凹入部８２よりも少ない数の頭凹入部８３、すなわち、複数の軸凹入部８２のうちの一部のみの軸凹入部８２に連通する頭凹入部８３を採用してもよい。栓軸部８１ｂの長さによっては、軸凹入部８２を螺旋状に形成してもよい。
【００５３】
原動機構ケース部４４の内部に入り込んだ水が頭凹入部８３に流入して頭凹入部８３から軸凹入部８２に流入し、軸凹入部８２から底壁部４４ａの下方に流出する。粉粒体散布装置３０の下方で跳ね上がった水が排水穴８０に向かっても、排水穴８０に入り込んでいる栓軸部８１ｂが障害物になって、水が排水穴８０に入り込み難い。水が軸凹入部８２に入り込んだとしても、軸凹入部８２の上方に位置する栓頭部８１ａが障害物になり、かつ、頭凹入部８３が軸凹入部８２に対して交差する方向に延びているので、軸凹入部８２に入り込んだ水は、原動機構ケース部４４の内部に入り込み難い。
【００５４】
図１２，１３は、繰出し供給ケース４０の分解状態における繰出し供給ケース部４３、原動機構ケース部４４、左散布ケース部４６及び右散布ケース部４７の全体を示す斜視図である。図１２，１３に示されるように、繰出し供給ケース４０は、繰出し供給ケース部４３、原動機構ケース部４４、左散布ケース部４６及び右散布ケース部４７に分割可能に構成されている。
【００５５】
図１２，１３に示されるように、繰出し供給ケース部４３は、前部の両横端側部分に設けられた前連結部９１と、後部の横幅方向での中央部分に設けられた後第１連結部９２と、後第１連結部９２の両横側方に設けられた後第２連結部９３と、を備えている。
【００５６】
図１２，１３に示されるように、原動機構ケース部４４は、左右の横壁部５１ｄの上端部分に設けられた前横連結部９４と、底壁部４４ａの後端部に備えられた後連結部９５と、左区画壁５１ａの前部から左横向きに延びる左散布補助板部９６と、右区画壁５１ｂの前部から右横向きに延びる右散布補助板部９７と、を備えている。左散布補助板部９６の先端部に左支持部９８が形成されている。右散布補助板部９７の先端部に右支持部９９が形成されている。
【００５７】
図１２，１３に示されるように、左散布ケース部４６は、左端部に形成された第１連結部１００と、後部に形成された第２連結部１０１と、を備えている。右散布ケース部４７は、右端部に形成された第１連結部１０２と、後部に形成された第２連結部１０３と、を備えている。
【００５８】
繰出し供給ケース部４３の左右の前連結部９１と、原動機構ケース部４４の左右の前横連結部９４とが連結ねじによって連結され、繰出し供給ケース部４３の後第１連結部９２と、原動機構ケース部４４の後連結部９５とが連結ねじによって連結されることにより、原動機構ケース部４４が繰出し供給ケース部４３の下部に接続される。
【００５９】
左散布ケース部４６の第１連結部１００が原動機構ケース部４４の左支持部９８に連結ねじによって連結され、左散布ケース部４６の第２連結部１０１が繰出し供給ケース部４３の左の後第２連結部９３に連結ねじによって連結され、左散布ケース部４６は、原動機構ケース部４４に接続され、かつ、繰出し供給ケース部４３に支持される。
【００６０】
右散布ケース部４７の第１連結部１０２が原動機構ケース部４４の右支持部９９に連結ねじによって連結され、右散布ケース部４７の第２連結部１０３が繰出し供給ケース部４３の右の後第２連結部９３に連結ねじによって連結され、右散布ケース部４７は、原動機構ケース部４４に接続され、かつ、繰出し供給ケース部４３に支持される。
【００６１】
〔別実施形態〕
（１）上記した実施形態では、左ガイド板７１、左拡散ガイド７２、右ガイド板６１、右拡散ガイド６２が設けられた例を示したが、左ガイド板７１及び右ガイド板６１を設け、左拡散ガイド７２及び右拡散ガイド６２を設けないものであってもよい。また、左ガイド板７１、左拡散ガイド７２、右ガイド板６１及び右拡散ガイド６２を設けないものであってもよい。
【００６２】
（２）上記した実施形態では、金属支持部材５０を設けた例を示したが、金属支持部材５０を設けず、繰出し電動モータ５７を原動機構ケース部４４に直接に支持させるものであってもよい。
【００６３】
（３）上記した実施形態では、排水穴８０を設けた例を示したが、排水穴８０を設けないものであってもよい。
【００６４】
（４）上記した実施形態では、粉粒体散布装置３０が８条植え可能な乗用型田植機に装備された例を示したが、７条以下や９条以上の苗植えが可能な乗用型田植機に装備されるものであってもよい。
【００６５】
（５）上記実施形態では、粉粒体散布装置３０が薬剤を供給するよう構成された例を示したが、これに限らない。たとえば、肥料など、各種の粉粒体を供給するものであってもよい。
【産業上の利用可能性】
【００６６】
本発明は、薬剤に限らず、肥料など各種の粉粒体を供給する粉粒体散布装置に適用できる。乗用型田植機に限らず、直播機、施肥機などの各種の作業機に装着される粉粒体散布装置に適用できる。
【符号の説明】
【００６７】
３０Ａ        粉粒体タンク
３０Ｂ        繰出し供給部
４０          繰出し供給ケース
４３          繰出し供給ケース部
４４          原動機構ケース部
４５          電気原動機構
４６          左散布ケース部
４６ａ        左散布口
４６ｔ        左ケース部縁部
４７          右散布ケース部
４７ａ        右散布口
４７ｔ        右ケース部縁部
４８          繰出し供給部材
５０          金属支持部材
５１ａ        左区画壁
５１ｂ        右区画壁
５５          左飛散部材
５６          右飛散部材
５７          繰出し電動モータ
５９          飛散電動モータ
５９ａ        左出力軸
５９ｂ        右出力軸
６１          右ガイド板
６１ｔ        右ガイド板縁部
６２          右拡散ガイド
７１          左ガイド板
７１ｔ        左ガイド板縁部
７２          左拡散ガイド
８０          排水穴
８１          栓部材
８１ａ        栓頭部
８１ｂ        栓軸部
８２          軸凹入部
８３          頭凹入部
Ｚ            隙間
【図１】
2020110120.tif 000003
【図２】
2020110120.tif 000004
【図３】
2020110120.tif 000005
【図４】
2020110120.tif 000006
【図５】
2020110120.tif 000007
【図６】
2020110120.tif 000008
【図７】
2020110120.tif 000009
【図８】
2020110120.tif 000010
【図９】
2020110120.tif 000011
【図１０】
2020110120.tif 000012
【図１１】
2020110120.tif 000013
【図１２】
2020110120.tif 000014
【図１３】
2020110120.tif 000015
【図１４】
2020110120.tif 000016
【図１５】
2020110120.tif 000017
【図１６】
2020110120.tif 000018